(57)【要約】【課題】シ−ツの交換を容易にすることができ、かつ、床ずれを防止することができる介護ベッドを提供する。【解決手段】介護ベッドの長手方向の両側に巻取りロ−ラを配置し、それぞれの巻取りロ−ラに両端を固定したシ−トの下部に、巻取りロ−ラと平行に複数の昇降ロ−ラを配置し、介護ベッドに被介護者を寝かせた状態で、昇降ロ−ラによりシ−トの面形状を凹部に形成し、この凹部に被介護者を保持させて、巻取りロ−ラを回転してシ−ツを交換する。また、昇降ロ−ラを上昇させて凸部を形成し、被介護者の身体を持上げることにより、被介護者が寝返りしたい方向に身体を回転することができる。【選択図】  図１
2004261435.tif 000002
【特許請求の範囲】
【請求項１】
ベッドの長手方向の両側に配置した巻取りロ−ラと、その巻取りロ−ラ間に連続して平行に配置した複数の昇降ロ−ラとより成り、前記巻取りロ−ラにシ−トの両端を固定し、該シ−ト上にシ−ツを備え、
前記昇降ロ−ラを昇降可能とし、該昇降ロ−ラにより前記シ−トの面形状をベッド幅方向に変化させることができるようにしたこと特徴とする介護ベッド。
【請求項２】
請求項１において、
人を寝かせた状態で、前記昇降ロ−ラを部分的に作動させて凹部を形成し、その個所のシ−トの面形状を凹面とし、該凹部に人を保持させ、前記巻取りロ−ラを回転して前記シ−ツを交換することを特徴とする介護ベッド。
【請求項３】
ベッドの長手方向の両側に配置した巻取りロ−ラと、その巻取りロ−ラ間に配置した複数の球体とより成り、前記巻取りロ−ラにシ−トの両端を固定し、該シ−ト上にシ−ツを備え、
前記球体を昇降可能とし、該球体により前記シ−トの面形状をベッド幅方向に変化させることができるようにしたこと特徴とする介護ベッド。
【請求項４】
請求項３において、
人を寝かせた状態で、前記球体を部分的に作動させて凹部を形成し、その個所のシ−トの面形状を凹面とし、該凹部に人を保持させ、前記巻取りロ−ラを回転して前記シ−ツを交換することを特徴とする介護ベッド。
【請求項５】
請求項３において、
前記複数の球体を、予め設定された作動モ−ドに従って有機的に昇降させることを特徴とする介護ベッド。
【請求項６】
請求項１または請求項３において、
前記巻取りロ−ラを回転して前記シ−トを巻取り、前記シ−ツ上に寝ている人を移動させることを特徴とする介護ベッド。
【発明の詳細な説明】
【０００１】
【発明の属する技術分野】
本発明は、寝たきりで自力で動くことが不自由な被介護者に有用な介護ベッドに関する。
【０００２】
【従来の技術】
従来の介護ベッドの例としては、介護ベッドを囲って設置されたベッド枠に敷物を敷き、このベッド枠をエア−シリンダ−により上昇させて敷物上に寝ている被介護者の身体を介護ベッドから上方に持上げ、その間にシ−ツの交換を行っている。（例えば、特許文献１参照。）
また、介護ベッドを左右等に傾斜させて、体重の掛かる位置を変化させることにより、自力で寝返りができない寝たきりの被介護者の身体と介護ベッドとの接触圧力を変化させて皮膚部の血流を阻害することを防ぐことにより、床ずれを防止している。（例えば、特許文献２参照。）
さらに、介護ベッドの下部に、ベッドの幅方向に複数配置した床板の各々を上下方向に昇降可能とすることにより、自力で寝返りができない寝たきりの被介護者が、介護者による介助を受けずに寝返りをして介護ベッド上で所望の姿勢をとることにより、床ずれを防止している。（例えば、特許文献３参照。）
【０００３】
【特許文献１】
2004261435.tif 000003
【特許文献２】
2004261435.tif 000004
【特許文献３】
2004261435.tif 000005
【０００４】
【発明が解決しようとする課題】
しかしながら、上記の特許文献１の技術においては、シ−ツの交換に際して、被介護者の身体は、介護ベッドから離れて上方に持上げられるために被介護者に不安を与え、また、被介護者はシ−ツの交換のたびに身体を動かされることになり、被介護者は身体的のみならず精神的にも大きな負担がかかるという問題がある。
【０００５】
また、上記の特許文献２の技術においては、寝たきりの被介護者の床ずれを防止するために、被介護者の介護ベッドの床面との接触圧力を適宜変えることはできるものの被介護者の姿勢を変えることはできないという問題がある。
さらに、上記の特許文献３の技術においては、介護ベッドの下部にベッド幅方向に複数配置した床板を昇降させることにより、寝返りができない被介護者の姿勢を変えて被介護者の床ずれを防止することはできるものの、これに伴い隣接する床板間に段差が生じ、寝返りに伴って被介護者の身体に負担を与え、その不快感によって精神的な負担も与えてしまうという問題がある。
【０００６】
そこで本発明は、被介護者に身体的および精神的な負担を与えることなくシ−ツの交換を容易に行うことができ、かつ、被介護者を滑らかに寝返りさせて床ずれを防止することができる介護ベッドを提供することを目的とする。
【０００７】
【課題を解決するための手段】
本発明は、上記課題を解決するために、ベッドの長手方向の両側に配置した巻取りロ−ラと、その巻取りロ−ラ間に連続して平行に配置した複数の昇降ロ−ラとにより成り、巻取りロ−ラにシ−トの両端を固定し、シ−ト上にシ−ツを備え、昇降ロ−ラを昇降可能とし、昇降ロ−ラによりシ−トの面形状をベッド幅方向に変化させることができるようにしたことを特徴とする。
【０００８】
【発明の実施の形態】
以下に、図面を参照して本発明による実施の形態について説明する。
第１実施の形態例
図１は第１実施の形態例の介護ベッドの斜視図、図２は第１実施の形態例の昇降ロ−ラの昇降機構を示す説明図、図３は本発明の巻取りロ−ラの回転機構を示す説明図、図４は第１実施の形態例の介護ベッドの平面図、図５は第１実施の形態例の介護ベッドの正面図、図６、図７は第１実施の形態例の昇降ロ−ラの作用状況を示す説明図である。
【０００９】
１は介護ベッドである。
２ａ、２ｂは円柱形の巻取りロ−ラであり、介護ベッド１の長手方向の両側に設置されており、両端にはフック３が設けられている。
４は長方形のシ−トであり、ゴムシ−トや繊維材等からなり、両端に設けられた孔を巻取りロ−ラ２ａ、２ｂのフック３に係合して、数回巻かれて取付けられており、それぞれの巻取りロ−ラ２ａ、２ｂにはベッド幅に相当する程度の長さの余長を有している。
【００１０】
また、シ−ト４には、通常市販される長さのシ−ツ５の両端に対応して、面ファスナ等の接着面６ａ、６ｂが設けられており、シ−ツ５はシ−ト４上に敷かれ、接着面６ａ、６ｂで着脱が可能である。
７は円柱形の昇降ロ−ラであり、シ−ト４の下部に巻取りロ−ラ２ａ、２ｂと平行に、昇降可能に設けられており、被介護者が介護ベッド１に寝ている状態のときに、不快感を感じさせない程度の間隔をもって複数配置されている。
【００１１】
また、昇降ロ−ラ７の外周部は、被介護者に不快感を感じさせない程度の柔軟性を有するゴム等の弾性材で覆われて構成されている。
前記巻取りロ−ラ２ａ、２ｂ、シ−ト４および昇降ロ−ラ７は、それぞれ介護ベッド１の長手方向に、上半身部８ａ、腰部８ｂ、下半身膝上部８ｃ、下半身膝下部８ｄの４つに分割されており、各部はそれぞれ独立して傾斜させることができ、リクライニングや脚上げ等の状態を保つことができるように構成されている。
【００１２】
９はリモ−トコントロ−ラであり、内蔵には別付として図示しない制御部を有し、介護者や被介護者はリモ−トコントロ−ラ９によりリクライニングや脚上げ等のための傾斜、巻取りロ−ラ２ａ、２ｂの回転、昇降ロ−ラ７の昇降等の動作を有機的に行うように指示する。
１０は昇降ロ−ラ支持ロッドであり、上部には昇降ロ−ラ７を回転自在に支持する昇降ロ−ラ回転軸１１が設けられ、下部には従動ロ−ラ１２を回転自在に支持する従動ロ−ラ軸１３が設けられている。
【００１３】
１４は支持バ−であり、両端を介護ベッド１に固定されており、長手方向に設けられた各昇降ロ−ラ７の昇降ロ−ラ支持ロッド１０を昇降可能に支持する軸受部１５が設けられている。
１６は昇降駆動モ−タであり、各昇降ロ−ラ７毎に設置されており、昇降駆動モ−タ回転軸１７に取付けられた回転カム１８を回転し、これに従動ロ−ラ１２が当接して従動する。
【００１４】
なお、各昇降ロ−ラ７を駆動する昇降駆動モ−タ１６は、前記リモ−トコントロ−ラ９の指示により回転する。
なお、各昇降ロ−ラ７を昇降させる機構は、前記構成に限るのではなく、例えばウォ−ムギアと平歯ギアとの組合せや、ネジとナットとの組合せによるスクリュ−式の駆動機構を用いるようにしてもよい。
【００１５】
２０は巻取り駆動モータであり、リモ−トコントロ−ラ９の制御部により回転し、この巻取り駆動モ−タ回転軸２１には巻取りロ−ラ２ａ、２ｂを駆動するための駆動ベベルギア２２が取付けられている。
２３はシャフトであり、巻取り駆動モ−タ回転軸２１と直交し、軸受部２４により支持されている。
【００１６】
２５はベベルギアであり、シャフト２３に取付けられており、駆動ベベルギア２２と常時噛合っている。
２６は無端の歯付ベルト等の駆動ベルトであり、巻取りロ−ラ２ａ、２ｂの巻取りロ−ラ回転軸２７とシャフト２３の片端に設けられたプ−リ２８とに掛渡されており、シャフト２３の回転を巻取りロ−ラ２ａ、２ｂに伝達する。
【００１７】
なお、巻取りロ−ラ２ａ、２ｂへの回転の伝達は、前記構成に限るのではなく、例えばチェ−ンとスプロケットとの組合せを用いるようにしてもよく、また巻取り駆動モータ回転軸２１と巻取りロ−ラ２ａ、２ｂとを平行に配置し、ギア列を介して伝達するようにしてもよい。
図６において、３０は凹部であり、介護ベッド１の両側付近の昇降ロ−ラ７を順次上昇させて形成する。
【００１８】
図７において、４０は凸部であり、介護ベッド１の片側の昇降ロ−ラ７を順次上昇させて形成する。
なお、凸部４０は前記介護ベッド１の片側のみならず、介護ベッド１のいずれの位置にも形成できる。
上記の構成の作用について説明する。
【００１９】
まず、介護ベッド１をリクライニングする場合の作動について説明する。
被介護者はリモ−トコントロ−ラ９により、上半身部８ａを独立してリクライニングさせる。
リモ−トコントロ−ラ９の図示しない制御部は、上半身部８ａを隣接する腰部８ｂとの接続部を中心に徐々に回動させて起こしていき、被介護者は所望の角度になるとリモ−トコントロ−ラ９により、リクライニングの作動を停止させて上体を起こした状態を維持することができる。
【００２０】
また、被介護者はリモ−トコントロ−ラ９により、下半身膝上部８ｃと下半身膝下部８ｄとを独立して所望の角度起こすことにより脚上げを保つことができ、さらに、下半身膝上部８ｃと下半身膝下部８ｄとの接続部を起こすことにより山形を形成し、被介護者は、膝を立てた状態を維持することもできる。
次に、介護者が被介護者の寝ているシ−ツ５を交換する場合の作動について説明する。
【００２１】
被介護者は、図４に示すように介護ベッド１の中央部付近で寝ており、介護ベッド１は、図５に示す平坦な状態になっている。
介護者は介護ベッド１が図６に示すように被介護者が凹部３０に収まるように凹部３０を形成するように、リモ−トコントロ−ラ９により介護ベッド１の両側付近の昇降ロ−ラ７を上昇させる。
【００２２】
すなわち、リモ−トコントロ−ラ９の制御部により、昇降駆動モ−タ１６が回転して回転カム１８が回転し、これに当接している従動ロ−ラ１２が、カムプロフィ−ルに従って従動し、軸受部１５に支持されている昇降ロ−ラ支持ロッド１０を押上げて昇降ロ−ラ７を上昇させ、シ−ト４の上面を凹面として凹部３０を形成する。
【００２３】
なお、昇降ロ−ラ７を下降させるときは、昇降駆動モ−タ１６を逆転させ、昇降ロ−ラ７等の自重により、従動ロ−ラ１２が回転カム１８に従動して昇降ロ−ラ７を下降させる。
このようにして、回転自在に支持された円柱形の昇降ロ−ラ７により、段差のない滑らかな凹部３０が形成され、被介護者は形成された凹部３０に身体が保持される。
【００２４】
凹部３０を形成すると、介護者はリモ−トコントロ−ラ９により、接着面６ｂを視認できるまで両巻取りロ−ラ２ａ、２ｂをＡ方向に回転させる。
すなわち、リモ−トコントロ−ラ９の制御部により、巻取り駆動モ−タ２０が駆動ベベルギア２２を回転し、これに噛合ったベベルギア２５によりシャフト２３が回転してプ−リ２８が回転する。この回転が駆動ベルト２６を介して巻取りロ−ラ回転軸２７に伝達されて、巻取りロ−ラ２ａ、２ｂがＡ方向に回転する。
【００２５】
なお、Ｂ方向に回転させるときは、巻取り駆動モ−タ２０を逆転させ、駆動ベベルギア２２の回転が、これに噛合ったベベルギア２５に伝達されてシャフト２３が回転し、この回転が駆動ベルト２６を介して巻取りロ−ラ回転軸２７に伝達されて、巻取りロ−ラ２ａ、２ｂがＢ方向に回転する。
このようにして、被介護者を凹部３０に保持しながら、接着面６ｂを視認できる位置まで、巻取りロ−ラ２ａ、２ｂを回転させてシ−ト４を移動させる。
【００２６】
接着面６ｂが視認できる位置までくると、リモ−トコントロ−ラ９の制御部は巻取りロ−ラ２ａ、２ｂの回転を停止させ、介護者は接着面６ｂからシ−ツ５を取外す。
次いで、介護者はリモ−トコントロ−ラ９により、接着面６ａが視認できる位置まで両巻取りロ−ラ２ａ、２ｂをＢ方向に回転させる。
【００２７】
接着面６ａが視認できる位置までくると、リモ−トコントロ−ラ９の制御部は巻取りロ−ラ２ａ、２ｂの回転を停止させ、介護者は接着面６ａからシ−ツ５を取外す。
介護者は接着面６ａ、６ｂから両端を取外されたシ−ツ５の接着面６ｂ側の端部を保持し、コントロ−ラ９により巻取りロ−ラ２ａ、２ｂをさらにＢ方向に回転させる。
【００２８】
介護者により端部を保持されたシ−ツ５は、介護ベッド１の凹部３０に寝ている介護者の身体とシ−ト４との間から擦り抜けて介護ベッド１から取外される。
このとき、シ−ト４の接着面６ａは、被介護者の身体とシ−ト４との間を擦り抜けて、巻取りロ−ラ２ｂ付近まで達していることになる。
次に、介護者は新しいシ−ツ５を敷くため、接着面６ａに新しいシ−ツ５の端部を接着する。
【００２９】
介護者はシ−ツ５の接着面６ｂ側の端部を保持し、リモ−トコントロ−ラ９により巻取りロ−ラ２ａ、２ｂをＡ方向に回転させる。
これにより、介護ベッド１の凹部３０に寝ている被介護者の身体とシ−ト４との間にシ−ツ５が引込まれ、リモ−トコントロ−ラ９の制御部は接着面６ｂが視認できる位置までくると巻取りロ−ラ２ａ、２ｂを停止させる。
【００３０】
介護者は接着面６ｂに新しいシ−ツ５の端部を接着し、リモ−トコントロ−ラ９により、昇降ロ−ラ７を下降させて、介護ベッド１は図５に示す平坦な状態にしてシ−ツ５の交換が完了する。
なお、上記の作動において、シ−ツ５を接着面６ｂから取外した後に、巻取りロ−ラ２ａ、２ｂをＢ方向に回転させ、接着面６ａが被介護者の身体とシ−ト４との間から擦り抜けてから、シ−ツ５を接着面６ａから取外すようにしてもよい。
【００３１】
また、シ−ツ５を接着面６ｂから取外した後に、新しいシ−ツ５を接着面６ａに接着しておき、シ−ツ５を被介護者の身体とシ−ト４との間から擦り抜けさせるときに、新しいシ−ツ５を被介護者と介護ベッド１との間に引込むようにしてもよい。
次に、被介護者が寝返りをする場合の作動について説明する。
【００３２】
なお、リモ−トコントロ−ラ９は被介護者の手の届く範囲内に設置されている。
被介護者は図４に示すように介護ベッド１の中央部付近に仰向けに寝ている。
このとき、介護ベッド１は図５の平坦な状態であり、被介護者の身体の背面にもっとも体重がかかっている。
【００３３】
被介護者はリモ−トコントロ−ラ９により、寝返りをしたい方向に身体が回転するように、介護ベッド１のシ−ト４の上面が凸部４０を形成するように介護ベッド１の片側の昇降ロ−ラ７を図７のように上昇させる。
このとき、被介護者の身体は片側だけ持上げられ、被介護者は寝返りをしたい方向に回転することができる。
【００３４】
また、昇降ロ−ラ７は円柱形で回転自在に支持されており、凸部４０は段差のない滑らかな形状を形成しているため、被介護者は不快感を持つことなく寝返りをしたい方向に回転することができる。
次に、被介護者を入浴等のために介護ベッドから車椅子に移す場合の作動について説明する。
【００３５】
被介護者は図４に示すように介護ベッド１の中央部付近に仰向けに寝ている。
介護者はリモ−トコントロ−ラ９により、両巻取りロ−ラ２ａ、２ｂをＡ方向に回転させる。
巻取りロ−ラ２ａ、２ｂが回転するとシ−ト４が巻取られ、それによってシ−ト４に取付けられたシ−ツ５上に寝ている被介護者は、巻取りロ−ラ２ａ側に移動する。
【００３６】
介護者は被介護者が巻取りロ−ラ２ａ側に移動すると、リモ−トコントロ−ラ９により巻取りロ−ラ２ａ、２ｂを停止する。
介護者は車椅子を介護ベッド１の巻取りロ−ラ２ａ側に隣接させて、被介護者を介護ベッド１から車椅子に移す。
また、被介護者を車椅子から介護ベッド１に移す場合は、被介護者を車椅子から介護ベッド１の巻取りロ−ラ２ａ側に寝かせ、巻取りロ−ラ２ａ、２ｂを回転させて、被介護者を介護ベッド１の中央部付近に移動させる。
【００３７】
以上説明したように、本実施の形態例では、昇降ロ−ラにより介護ベッドのシ−トの面形状を凹面として被介護者の身体を保持する凹部を形成し、被介護者を凹部に保持させ、巻取りロ−ラを回転してシ−ツを交換するようにしたことによって、シ−ツの交換を被介護者の身体を上方に持上げたり無理に動かしたりする必要がなくなり、被介護者に不安感を与えずにシ−ツの交換を行うことができる。
【００３８】
また、連続配置した円柱形で回転自在な昇降ロ−ラを上昇させて滑らかな段差のない凸部を形成し、被介護者の身体を持上げることにより、被介護者は寝返りしたい方向に身体を回転させることができるため、床ずれを防止することができる。
さらに、巻取りロ−ラを回転してシ−トを巻取り、シ−トに取付けられたシ−ツ上に寝ている被介護者を介護ベッドの端部に移動させることにより、介護者に大きな負担を与えることなく、被介護者を介護ベッドから移すことができる。
【００３９】
さらに、巻取りロ−ラ、シ−トおよび昇降ロ−ラをそれぞれ介護ベッドの長手方向に独立して４つに分割することにより、各部を傾斜させてリクライニングや脚上げ等を行うことができる。
第２実施の形態例
図８は第２実施の形態例の球体の昇降機構を示す説明図、図９は第２実施の形態例の介護ベッドの側面図である。
【００４０】
なお、上記第１実施の形態例と同様の部分は、同一の符号を付してその説明を省略する。
図８において、５０は球体であり、シ−ト４の下部に被介護者が介護ベッド１に寝ている状態のときに、不快感を感じさせない程度の間隔をもって複数を一列として、巻取りロ−ラ２ａ、２ｂに平行に碁盤目状や千鳥状となるように複数列配置されている。
【００４１】
また、球体５０の表面は、被介護者に不快感を感じさせない程度の柔軟性を有するゴム等の弾性材で覆われて構成されている。
５１は球体支持ロッドであり、上部には球体５０が自由に回転できるように支持する球体受台５２が設けられ、下部には従動ロ−ラ１２を回転自在に支持する従動ロ−ラ軸１３が設けられている。
【００４２】
なお、各球体５０を駆動する各昇降駆動モ−タ５３は、リモ−トコントロ−ラ９の図示しない制御部により回転する。
なお、各球体５０を昇降させる機構は、前記構成に限るのではなく、例えばウォ−ムギアと平歯ギアとの組合せや、ネジとナットとの組合せによるスクリュ−式の駆動機構を用いるようにしてもよい。
【００４３】
なお、第１実施の形態例と同様に巻取りロ−ラ２ａ、２ｂ、シ−ト４および昇降ロ−ラ７は、それぞれ介護ベッド１の長手方向に上半身部８ａ、腰部８ｂ、下半身膝上部８ｃ、下半身膝下部８ｄの４つに分割し、各部をそれぞれ独立して傾斜させる構造にしてもよい。
また、本実施の形態例では、球体５０はそれぞれ独立しているため、これを利用して、上半身部８ａ、腰部８ｂ、下半身膝上部８ｃ、下半身膝下部８ｄの４つに分割せずに、球体５０を有機的に連続して昇降させる構造にしてもよい。
【００４４】
上記の構成の作用について説明する。
被介護者がマッサ−ジを行うため作動モ−ドを選択して作動させる場合について説明する。
本実施の形態例の球体５０を用いた介護ベッド１は、リモ−トコントロ−ラ９により、介護ベッド１の長手方向の同列に配置された球体５０を同期させて上昇させることにより、第１実施の形態例と同様のシ−ツ交換や寝返り、移動等を行うことができる。
【００４５】
本実施の形態例のリモ−トコントロ−ラ９の制御部には、上記に加えて予め設定されたマッサ−ジ強度、回数、マッサ−ジ時間、マッサ−ジコ−ス等の作動モ−ドが組込まれている。
被介護者は図４または図９に示すように介護ベッド１に仰向けに寝ている。
被介護者は、リモ−トコントロ−ラ９により、予め設定された作動モ−ドから希望のマッサ−ジを選択すると、球体５０は、作動モ−ドに従って有機的に昇降してマッサ−ジが行われる。
【００４６】
この場合、球体５０の昇降は、リモ−トコントロ−ラ９の制御部により、昇降駆動モ−タ５３が回転して、上述した第１実施例と同様に、球体支持ロッド５１が押上げられて昇降ロ−ラ７を上昇させ、昇降ロ−ラ７を下降させるときは、昇降駆動モ−タ５３を逆転させて下降させる。
また、介護ベッド１の長手方向の同列に配置された球体５０を同期させて上昇させ、図７に示す凸部４０を形成し、被介護者は身体を回転させて介護ベッド１との接触箇所を変化させ、自身の希望する箇所をマッサ−ジすることができる。
【００４７】
以上説明したように、本実施の形態例では、第１実施の形態例の効果に加えて、介護ベッドのシ−トの下部に複数配置された球体を、予め設定された作動モ−ドに従って有機的に昇降させることにより、寝たきりの被介護者の身体をマッサ−ジし、被介護者の心身のストレスを和らげることができる。
また、球体を球体受台上で自由に回転できるようにしたことによって、滑らかな段差のない凹凸を形成することができ、被介護者に不快感を与えることなく、被介護者に快適なマッサ−ジを提供することができる。
【００４８】
上記の各実施の形態例の介護ベッドは介護ベッドのみならず、家庭や宿泊施設等で使用されているベッドとして利用するようにしてもよい。
【００４９】
【発明の効果】
以上述べたように、本発明では、昇降ロ−ラにより介護ベッドのシ−トの面形状を凹面として被介護者の身体を保持する凹部を形成し、被介護者を凹部に保持させ、巻取りロ−ラを回転してシ−ツを交換するようにしたことによって、シ−ツの交換を被介護者の身体を上方に持上げたり無理に動かしたりすることなく、被介護者に不安を与えずに行うことができるという効果が得られる。
【図面の簡単な説明】
【図１】第１実施の形態例の介護ベッドの斜視図
【図２】第１実施の形態例の昇降ロ−ラの昇降機構を示す説明図
【図３】本発明の巻取りロ−ラの回転機構を示す説明図
【図４】第１実施の形態例の介護ベッドの平面図
【図５】第１実施の形態例の介護ベッドの正面図
【図６】第１実施の形態例の昇降ロ−ラの作用状況を示す説明図
【図７】第１実施の形態例の昇降ロ−ラの作用状況を示す説明図
【図８】第２実施の形態例の球体の昇降機構を示す説明図
【図９】第２実施の形態例の介護ベッドの側面図
【符号の説明】
１  介護ベッド
２ａ  巻取りロ−ラ
２ｂ  巻取りロ−ラ
３  フック
４  シ−ト
５  シ−ツ
６ａ  接着面
６ｂ  接着面
７  昇降ロ−ラ
８ａ  上半身部
８ｂ  腰部
８ｃ  下半身膝上部
８ｄ  下半身膝下部
９  リモ−トコントロ−ラ
１０  昇降ロ−ラ支持ロッド
１１  昇降ロ−ラ回転軸
１２  従動ロ−ラ
１３  従動ロ−ラ軸
１４  支持バ−
１５  軸受部
１６  昇降駆動モ−タ
１７  昇降駆動モ−タ回転軸
１８  回転カム
２０  巻取り駆動モ−タ
２１  巻取り駆動モ−タ回転軸
２２  駆動ベベルギア
２３  シャフト
２４  軸受部
２５  ベベルギア
２６  駆動ベルト
２７  巻取りロ−ラ回転軸
２８  プ−リ
３０  凹部
４０  凸部
５０  球体
５１  球体支持ロッド
５２  球体受台
５３  昇降駆動モ−タ
【図１】
2004261435.tif 000006
【図２】
2004261435.tif 000007
【図３】
2004261435.tif 000008
【図４】
2004261435.tif 000009
【図５】
2004261435.tif 000010
【図６】
2004261435.tif 000011
【図７】
2004261435.tif 000012
【図８】
2004261435.tif 000013
【図９】
2004261435.tif 000014